(57)【特許請求の範囲】
【請求項１】
第一の負荷回路に結合され、動作の実行モードにおいて選択的に該第一の負荷回路に給電し、動作の待機モードにおいて該第一の負荷回路が給電されるのを不能とする第一のオン／オフ制御信号源と、
第二の負荷回路に結合され、少なくとも動作の待機モードの第一部分の間、選択的に該第二の負荷回路に給電し、少なくとも動作の待機モードの第二部分の間、第二の負荷回路が給電されるのを不能とする第二のオン／オフ制御信号源と、
該第一の負荷回路と該第二の負荷回路に給電するために複数の供給電圧を発生する電力供給段と、
前記第一の負荷回路に供給される第一の供給電圧に応答し、負のフィードバック方法で該第一の供給電圧を調整するため、電力供給段の入力に結合されたフィードバック信号を発生するスイッチ式フィードバック網とを有し、
前記フィードバック信号は、動作の待機及び実行モードの両期間の間、前記第一の供給電圧から発生され、
前記スイッチ式フィードバック網は、第一の負荷回路が給電された時の実行モードの間では前記第一の供給電圧と前記第二の負荷回路に供給される第二の供給電圧の第一の比率で、また、第二の負荷回路が給電された時の動作の待機モードの前記第一部分の間では該第一の比率と異なる第二の比率で、該第一の供給電圧が調整されるように前記フィードバック信号を発生させることを特徴とするビデオ装置電力供給装置。
【請求項２】
前記スイッチ式フィードバック網は、前記第一のオン／オフ制御信号に応答し、スイッチの状態に応じて比率差を生成するスイッチを有することを特徴とする請求項１記載のビデオ装置電力供給装置。
【請求項３】
前記電力供給段は、一次の巻き線に現れる電圧から偏向回路に給電するための、第一の供給電圧を生成する該一次の巻き線と、前記第二の負荷回路に給電するための、二次の巻き線に現れる電圧から第二の供給電圧を発生する該二次の巻き線とを有する変圧器を有し、
前記第一のオン／オフ制御信号源は、該偏向回路に結合され、動作の該待機及び実行モードにおいて該変圧器で生成される電流の差が、動作の該実行モード時に対して動作の待機モード時の該第一及び第二の供給電圧を変化させる傾向にあるように、動作の該待機モードにおいて該偏向回路が給電されるのを不能とすることを特徴とする請求項１記載のビデオ装置電力供給装置。
【請求項４】
前記第二の供給電圧は、該変圧器を経由して相互に調整されることを特徴とする請求項３記載のビデオ装置電力供給装置。
【請求項５】
前記第二の負荷回路は、データ獲得モードモジュールを有することを特徴とする請求項３記載のビデオ装置電力供給装置。
【請求項６】
前記偏向回路は、該第一のオン／オフ制御信号に応じて決定される制御信号を生成し、前記スイッチ式フィードバック網は、該制御信号に応答し、前記比率を変化させることを特徴とする請求項３記載のビデオ装置電力供給装置。
【請求項７】
前記第一の負荷回路は、偏向回路を有し、前記第二の負荷回路は、データ獲得モードモジュールを有することを特徴とする請求項１記載のビデオ装置電力供給装置。
【請求項８】
スイッチが、前記第一の供給電圧と前記電力供給段との間のフィードバック信号路に結合されることを特徴とする請求項１記載のビデオ装置電力供給装置。
【請求項９】
前記フィードバック信号路は、分圧器を有し、前記スイッチは、該スイッチの状態に応じて、該分圧器への前記第一の供給電圧と該分圧器から前記電力供給段へ供給される電圧との比率を変化させる該分圧器に結合されることを特徴とする請求項８記載のビデオ装置電力供給装置。
【請求項１０】
前記電力供給段は、パルス幅変調器を有することを特徴とする請求項１記載のビデオ装置電力供給装置。
【請求項１１】
前記比率差は、該１つの供給電圧の大きさを変化させる傾向を補償することを特徴とする請求項１記載のビデオ装置電力供給装置。
【請求項１２】
該第一の負荷回路が給電された時及び該第一の負荷回路が給電を不能とされた時に、前記フィードバック信号が生成されることを特徴とする請求項１記載のビデオ装置電力供給装置。
【請求項１３】
第一の負荷回路に結合され、動作の実行モードにおいて選択的に該第一の負荷回路に給電し、動作の待機モードにおいて該第一の負荷回路が給電されるのを不能とする第一のオン／オフ制御信号源と、
第二の負荷回路に結合され、少なくとも動作の待機モードの第一部分の間、選択的に該第二の負荷回路に給電し、少なくとも動作の待機モードの第二部分の間、該第二の負荷回路が給電されるのを不能とする第二のオン／オフ制御信号源と、
前記第一の負荷回路に給電するため、一次の巻き線に現れる電圧から第一の供給電圧を生成する該一次の巻き線と、該第二の負荷回路に給電するため、二次の巻き線に現れる電圧から第二の供給電圧を生成する該二次の巻き線とを有する変圧器を有する電力供給段と、
変圧器に結合され、負のフィードバック法で該第一の供給電圧を調整するために該第一の供給電圧に応答し、該第二の供給電圧が相互調整されるようにするパルス幅変調器と、
前記第一の供給電圧に応じて、前記パルス幅変調器を制御するため、該第一の供給電圧を該パルス幅変調器に結合する分圧器と、
スイッチ制御信号源と、
前記スイッチ制御信号に応答し該分圧器に結合される該スイッチ制御信号の状態に応じて、該分圧器への前記第一の供給電圧と該分圧器から前記パルス幅変調器へ供給される電圧との比率を変化させるスイッチとを有することを特徴とするビデオ装置電力供給装置。
【請求項１４】
該第二の負荷回路が給電された時の動作の待機モード時と該第一の負荷回路が給電された時の動作の実行時での該変圧器で生成される電流の差は、該第二の供給電圧を変化させる傾向にあり、該スイッチの動作は、該第二の供給電圧を変化させる傾向を補償することを特徴とする請求項１３記載のビデオ装置電力供給装置。
【請求項１５】
第一の負荷回路に結合され、動作の実行モードにおいて該第一の負荷回路に選択的に給電し、また、動作の待機モードにおいて該第一の負荷回路が給電されるのを不能とする第一のオン／オフ制御信号源と、第二の負荷回路に結合され、少なくとも動作の該待機モードの第一の期間の間、該第二の負荷回路に選択的に給電し、また、少なくとも動作の該待機モードの第二の期間の間、該第二の負荷回路が給電されるのを不能とする第二のオン／オフ制御信号源と、
該第一及び第二の負荷回路に給電するため、動作の該待機モード及び該実行モードの間、供給電圧を発生する電力供給段とを有し、
該電力供給段は、該第一の負荷回路が給電された時の該実行モードの間における第一のモードで、及び、第二の負荷回路が給電された時の動作の該待機モードの該第一の期間の間における第二のモードで、選択的に調整した前記第一の負荷回路及び前記第二の負荷回路への供給電圧を発生することを特徴とするビデオ装置電力供給装置。
【請求項１６】
前記第一の負荷回路は、第一の供給電圧によって給電される偏向回路を有し、前記第二の負荷回路は、第二の供給電圧によって給電されるデータ獲得モードモジュールを有することを特徴とする請求項１５記載のビデオ装置電力供給装置。
【請求項１７】
該電力供給段で生成された供給電圧に結合され、それによって動作の待機モードの間中給電される第三の負荷を更に有することを特徴とする請求項１６記載のビデオ装置電力供給装置。
【請求項１８】
前記電力供給段は、前記偏向回路に給電する前記第一の供給電圧に応答し、負のフィードバック方法において、該第一の供給電圧を調整するため該電力供給段の入力に結合されたフィードバック信号を発生するスイッチ式フィードバック網を有し、
前記フィードバック信号は、前記偏向回路が給電された時及び給電されるのを不能とされた時の両方において、前記第一の供給電圧から発生され、
前記スイッチ式フィードバック網は、該第一の供給電圧と前記第二の負荷回路に供給される第二の供給電圧との間において、該偏向回路が給電された時には第一の比率で、また、該偏向回路が給電されるのを不能とされた時には第二の比率で、該第一の供給電圧が調整されるように前記フィードバック信号を発生させることを特徴とする請求項１５記載のビデオ装置電力供給装置。
【発明の詳細な説明】
【０００１】
【発明の属する技術分野】
本発明は、ビデオ表示装置の電源供給装置に関する。
【０００２】
【従来の技術】
待機モード及び電源ＯＮ、実行、又は、通常モードにおいて動作することができるテレビ受信機は知られている。通常モードで、テレビ受信機はビデオ及びオーディオ信号を処理し及びそれら信号を表示する為に動作する。
通常、偏向回路は、供給電圧Ｂ＋の電源から給電される。供給電圧Ｂ＋はスイッチモード電力供給の調整器で調整され、変圧器の一次の巻き線に現れる電圧から生成される。電圧Ｂ＋の一部は、調整目的のために、負のフィードバック経路を経由してスイッチモード電力供給調整器にフィードバックされる。
【０００３】
待機モードにおいて、偏向段は不能とされ、電流は一次の巻き線から流れない。変圧器の二次の巻き線に現われる電圧から生成された待機供給電圧は、待機モードの間、マイクロプロセッサ／遠隔制御回路を給電するために使用される。待機供給電圧の調整は、間接的に、供給電圧Ｂ＋を感知することによってフィードバック経路にて得られる。変圧器の一次及び二次の巻き線は、磁気的に結合されているため、電圧Ｂ＋の調整はまた、結果としてここで相互調整として言う待機供給電圧の調整となる。
【０００４】
本発明の形態を具現化するテレビ受信機は、例えば、データ獲得モード（ＤＡＭ）モジュール( 構成部) を有する。ＤＡＭ構成部は、テレビプログラムガイド情報を格納するためメモリを有する。情報は、選択された放送局における垂直帰線消去間隔の間、送信される。ＤＡＭ構成部は、待機供給電圧から取得した供給電圧から給電される。取得した供給電圧は、ユーザにセットアップされた予定時間帯の間のみスイッチがオンとなり、電力消費を減らすため残りの待機動作の間はスイッチがオフとなる。ＤＡＭ構成部が給電されている時は、偏向回路は不能とされる。しかしながら、入力されるビデオ信号を処理するために使用される受信機の各段は給電される。
【０００５】
【発明が解決しようとする課題】
給電されたＤＭＡ構成部は、変圧器の第二の巻き線からの電流消費を著しく増加させる。第一及び第二の巻き線を結合する磁気は、理想的な変圧器としては、十分ではない。よって、不能となった偏向回路によって引き起こされる一次の巻き線で減少した負荷、及び、給電されたＤＡＭ構成部によって引き起こされる第二の巻き線での増大した負荷は、前述の相互調整を不利に弱める傾向にある。結果として、ＤＡＭ動作の間の待機供給電圧の減少及びそのレベルに比して実行モードの間の待機供給電圧の減少を引き起こす。ＤＡＭ構成部が給電される時には、負荷変化を補うことが望まれる。
【０００６】
本発明の実施の形態において、スイッチは、電圧Ｂ＋の調整フィードバック経路で結合されている。スイッチは待機動作中はオンに切り換えられる。スイッチは、スイッチモード電力供給の制御入力へフィードバックされる電圧Ｂ＋の一部分の減衰を引き起こす。従って、ＰＷＭは、待機供給電圧を増加させ、減少する傾向にある待機電圧を補う。
【０００７】
発明の特徴を具現化するビデオ装置電力供給装置は、第一の負荷回路に結合され、動作の実行モードにおいて選択的に該第一の負荷回路に給電し、動作の待機モードにおいて該第一の負荷回路が給電されるのを不能とする第一のオン／オフ制御信号源と、第二の負荷回路に結合され、少なくとも動作の待機モードの第一部分の間、選択的に該第二の負荷回路に給電し、少なくとも動作の待機モードの第二部分の間、第二の負荷回路が給電されるのを不能とする第二のオン／オフ制御信号源と、該第一の負荷回路と該第二の負荷回路に給電するために複数の供給電圧を発生する電力供給段と、前記第一の負荷回路に供給される第一の供給電圧に応答し、負のフィードバック方法で該第一の供給電圧を調整するため、電力供給段の入力に結合されたフィードバック信号を発生するスイッチ式フィードバック網とを有し、前記フィードバック信号は、動作の待機及び実行モードの両期間の間、前記第一の供給電圧から発生され、前記スイッチ式フィードバック網は、第一の負荷回路が給電された時の実行モードの間では前記第一の供給電圧と前記第二の負荷回路に供給される第二の供給電圧の第一の比率で、また、第二の負荷回路が給電された時の動作の待機モードの前記第一部分の間では該第一の比率と異なる第二の比率で、該第一の供給電圧が調整されるように前記フィードバック信号を発生させるように構成される。
【０００８】
【発明の実施の形態】
単一の図１は、電力供給１０を含むテレビ受信回路の一部を示す図である。電力供給１０は、調整されていない電圧ＵＶを生成するブリッジ整流器４７に結合されている。電圧ＵＶは、変圧器５の一次巻き線４ｂに結合されている。巻き線４ｂは、スイッチングトランジスタＱＣのコレクタに結合される。従来のパルス幅変調器３１は、従来方法で巻き線４ｂにおいて電流パルスを生成するためトランジスタＱＣのベースに結合される。パルス幅変調器３１は、電圧ＵＶに結合されるスタートアップ抵抗器１１を経由して初期に給電される。スタートアップ期間後、パルス幅変調器３１は、従来方法で変圧器５の二次の巻き線４ａに現われる電圧からダイオード１２を経由して給電される。調整された出力供給電圧Ｂ＋は、整流器１３によって変圧器５の巻き線８に現われる電圧から生成される。同様に、調整された出力供給電圧Ｖ１は、整流器１４によって変圧器５の巻き線６に現われる電圧から生成される。
【０００９】
水平偏向回路２６は、スイッチングトランジスタ２６ａに結合された水平偏向巻き線ＬＹを含む。トランジスタ２６ａは、フライバック変圧器２８の一次巻き線２９に結合されている。電圧Ｂ＋は、トランジスタ２６ａから遠隔にある巻き線２９の端子で起電される。回路２６は、高圧巻き線３０での水平フライバックパルスを生成する。従って、高(ultor) 電圧Ｕが発生される。低電圧巻き線１５は、供給電圧Ｖ３を生成する整流器１６に結合される。電圧Ｖ３は、例えば、図示されていない垂直偏向回路を給電するために結合されている。
【００１０】
電圧Ｖ１は、遠隔制御受信器／マイクロプロセッサ２４に給電するために結合される。遠隔制御受信器／マイクロプロセッサ２４は、ユーザ選択に従い、実行モードの間オン状態とし、待機モードの間オフ状態とする信号ＤＥＦ−オン／オフを生成する。オン状態が生成されると、水平発振器及びドライバ２５は、実行モードで動作するために水平偏向回路に結合された水平ラインパルスを生成する。結果として、巻き線８を有する電流経路を流れる供給電流ｉ２９が生成される。オフ状態が生成された時、水平発振器及びドライバ２５は、待機モードで、水平ラインパルスを生じさせ、水平偏向回路２６は不能となる。供給電流ｉ２９は、顕著に減衰される。よって、電圧Ｖ３は、実行モード動作の間は生成され、待機モードの間はオフにされる。
【００１１】
電圧Ｂ＋の調整は、本発明の特徴を具現化しているスイッチ式フィードバック網３００を経由して、電圧Ｂ＋の一部を形成する電圧ＶＦＢをパルス幅変調器３１の制御入力に結合することによって取得される。変圧器５の巻き線６と８の磁気による結合のため、電圧Ｖ１は、相互調整として言及される電圧Ｂ＋の調整から間接的に得られる。
【００１２】
データ獲得モード（ＤＡＭ）構成部４２はテレビプログラムガイド情報を格納するためのメモリを有している。情報は、選択された放送局において垂直帰線消去期間の間、送信される。構成部４２は、電圧調整器４１で発生され及び待機供給電圧Ｖ１から誘導された供給電圧Ｖ２から給電される。調整器４１は、例えば、図示されないスイッチ式の直列通過調整器を有する。
【００１３】
遠隔制御受信機／マイクロプロセッサ２４は、ＤＡＭ構成部４２の動作が要求される時にオン状態とし、ＤＡＭ構成部４２の動作が要求されない時にオフ状態とするオン／オフ制御信号ＤＡＭ−オン／オフを生成する。オン／オフ制御信号ＤＡＭ−オン／オフは、調整器４１に結合される。電圧Ｖ２は、ユーザによってプログラムされた予定時間の間のみ、オン／オフ制御信号ＤＡＭ−オン／オフに応じてオンにされる。それ以外の時間では、電圧Ｖ２はオフにされる。よって、ＤＡＭ構成部４２が受けた情報を処理する要求がされない場合の過度の電力消費は避けられる。
【００１４】
ＤＡＭ構成部４２が給電されると、偏向回路２６は不能とされる。しかし、受信したビデオ信号を処理するために使用される受信機の段は給電される。実行モードの間、供給電力ｉ２９は、変圧器５の巻き線８に関して相当な負荷を引き起こす。対照的に、実行モード動作以外では、ＤＡＭ構成部４２が給電された時、巻き線８は負荷されない。
【００１５】
給電されたＤＡＭ構成部４２は、変圧器５の巻き線６からの供給電流ｉ６のレベルを相当のレベルにさせる。理想的変圧器においても、巻き線６と８との間の磁気的結合は密でなくても良い。よって、給電されたＤＡＭ構成部４２の結果として巻き線６の負荷増加を伴う、不能とされた偏向回路２６の結果として巻き線８の負荷減少は、ＤＡＭ動作の間供給電圧Ｖ１の減少を引き起こす傾向にある。変圧器５の不完全な磁気的結合のために、電圧減少が供給電圧Ｖ１で発生する。ＤＡＭ動作の間の電圧Ｖ１の減少、そのレベルに比した待機及び実行モードの間の電圧Ｖ１の減少は、電圧Ｖ１とＢ＋との間の比率を小さくする方法で発生する。電圧Ｖ１の減少する傾向は、もし補償されなければ、調整器４１の電圧Ｖ２を、調整器４１の適正な調整を維持するためには不十分である程の相当低い電圧まで減少させてしまう。
【００１６】
本発明の実施の形態において、トランジスタスイッチ４３はスイッチ式フィードバック網３００に含まれる。スイッチ式フィードバック網３００は、電圧Ｂ＋と結合端子４７に結合される抵抗４６に結合された抵抗４５によって形成された抵抗分圧器を有する。変調器３１に結合されるフィードバック電圧ＶＦＢは端子４７で起電される。端子４７は、既知の方法にて、ホットグランド／コールドグランド絶縁を提供するために、図示されないオプトカプラーを経由して変調器３１に結合されても良い。
【００１７】
スイッチトランジスタ４３は抵抗４８を経由して結合端子４７に結合される。スイッチトランジスタ４３がオンになると、抵抗４８とトランジスタ４３によって形成される直列配列は、ＤＡＭ動作において、電圧ＶＦＢの減衰を引き起こす。従って、負のフィードバックループが、補償するため、実行モードの間、供給電圧Ｖ１を起電時の電圧レベルの近くまで引き上げる。待機モード以外での動作において、スイッチトランジスタ４３は、電圧Ｂ＋及び電圧Ｖ１を各々公称電圧レベル１３０Ｖ及び１６Ｖで生成するためにオフにされる。よって、電圧ＶＦＢとＢ＋との間の比率はスイッチトランジスタ４３の状態に応じて変化する。また、スイッチフィードバック網３００は、実行モード及び待機モードの両方において電圧Ｂ＋を変調器３１に印加する。よって、抵抗４５を有する共通フィードバック経路は動作の各モードで形成される。
【００１８】
偏向回路２６が給電された時、トランジスタ４３は実行モードにおいてのみ起電された供給電圧Ｖ３によって制御される。供給電圧Ｖ３は、トランジスタスイッチ５２をオンにするために、コンデンサ５１とでフィルター５５を形成する抵抗５０を経由しトランジスタスイッチ５２のベース電極に結合される。トランジスタ５２がオンにされると、トランジスタ５２のコレクタ電圧はゼロとなる。結果、ゼロ電圧のトランジスタ５２のコレクタは、ダイオード５３を経由してトランジスタ４３のベース電極に印加され、トランジスタ４３を非導通にする。
【００１９】
一方、偏向回路２６が不能とされた時、待機モード及びＤＡＭ動作の間、トランジスタ５２は非導通となる。トランジスタ５２のコレクタは、電圧Ｖ１に結合される上昇抵抗５４を経由して上昇される。結果、トランジスタ５２のコレクタ電圧は、トランジスタ４３をオンにするのに十分な電圧となる。ＤＡＭ動作の間、電圧Ｂ＋及び電圧Ｖ１は、各々１４０Ｖ及び１７．５Ｖの電圧レベルとなる。トランジスタ４３及びそれに連携する回路が使用されなかったなら、電圧Ｖ１は顕著に降下したであろう。トランジスタ４３は、通常動作の範囲において、電圧調整器４１を動作するのに十分なレベルに電圧Ｖ１を上昇させる。
【００２０】
電圧Ｖ３によってトランジスタ５２を制御するための他の方法として、遠隔制御／マイクロプロセッサ２４は、破線で示すような電圧Ｖ３の代わりに抵抗５０に結合された制御信号２４ａを生成する。信号２４ａはＤＡＭ動作の間はオン状態を有し、実行モード動作の間を含む、ＤＡＭ動作以外においてオフ状態を有する。この方法においてトランジスタ５２の動作は、前述の電圧Ｖ３がトランジスタ５２を制御するために使用される場合の動作と同様である。
【００２１】
ＤＡＭ構成部４２は、例えば、ビデオテープレコーダ（図示せず）のような他のビデオ装置に含まれても良い。その場合、トランジスタスイッチ４３と同様のトランジスタスイッチが、対応する電力供給のスイッチ式フィードバック３００と同様なスイッチ式フィードバック網に含まれる。
【図面の簡単な説明】
【図１】テレビ受信機の本発明の特徴を具現化する電力供給を示す図である。
【符号の説明】
４ａ        一次巻き線
５          変圧器
１０        電力供給
１１        スタートアップ抵抗器
１５        低電圧巻き線
１６        整流器
２４        遠隔制御受信機／マイクロプロセッサ
２４ａ      制御信号
２５        水平発振器及びドライバ
２６        水平偏向回路
４２        データ獲得モード（ＤＡＭ）構成部
４３        トランジスタスイッチ
４７        ブリッジ整流器
５１        コンデンサ
ＬＹ        水平偏向巻き線
ＱＣ        スイッチングトランジスタ
３００      スイッチ式フィードバック網
【図１】
0004620821.tif 000002